(57)【特許請求の範囲】
【請求項１】
ＳＣＳＩシンプレクス・モード及びＳＣＳＩデュプレクス・モードをイネーブルする、コンピュータ・システムのデュプレクス兼用ＳＣＳＩバックプレーン・ボードであって、一次ＳＣＳＩバス及び二次ＳＣＳＩバスに結合されている該デュプレクス兼用ＳＣＳＩバックプレーン・ボードにおいて、
該ボードは、前記一次ＳＣＳＩバスと前記二次ＳＣＳＩバスとの間に結合され、該ボードに一次ＳＣＳＩケーブルのみが接続されたことを検出したときに前記ＳＣＳＩシンプレクス・モードをイネーブルし、該ボードに一次ＳＣＳＩケーブル及び二次ＳＣＳＩケーブルが接続されたことを検出したときに前記ＳＣＳＩデュプレクス・モードをイネーブルするＳＣＳＩデュプレクス兼用ロジックを備え、
前記ＳＣＳＩデュプレクス兼用ロジックが、前記ＳＣＳＩシンプレクス・モードにおいて、前記一次ＳＣＳＩバス及び前記二次ＳＣＳＩバスを、ターミネータによってその両端部が終端される１系統の電気バスとして併合するよう構成され、
前記ＳＣＳＩデュプレクス兼用ロジックが、前記ＳＣＳＩデュプレクス・モードにおいて、前記一次ＳＣＳＩバス及び前記二次ＳＣＳＩバスを独立した電気バスであって、それぞれのターミネータによってその両端部が終端される２系統の電気バスに分離するよう構成されている
ことを特徴とするデュプレクス兼用ＳＣＳＩバックプレーン・ボード。
【請求項２】
請求項１記載のデュプレクス兼用ＳＣＳＩバックプレーン・ボードにおいて、前記デュプレクス兼用ロジックが、
前記ＳＣＳＩシンプレクス・モードにおいて前記一次ＳＣＳＩバス及び前記二次ＳＣＳＩバスを１つに結合し、前記ＳＣＳＩデュプレクス・モードにおいてこれらＳＣＳＩバスの結合を解除する複数のバス・スイッチ
を備えていることを特徴とするデュプレクス兼用ＳＣＳＩバックプレーン・ボード。
【請求項３】
一次ＳＣＳＩバスを担持する一次ＳＣＳＩケーブル及び二次ＳＣＳＩバスを担持する二次ＳＣＳＩケーブルに接続可能なデュプレクス兼用ＳＣＳＩバックプレーン・ボードの状態に基づいて、ＳＣＳＩシンプレクス・モード及びＳＣＳＩデュプレクス・モードを選択的にイネーブルし、前記ＳＣＳＩシンプレクス・モードにおいて前記一次ＳＣＳＩバス及び前記二次ＳＣＳＩバスを１つのバスに併合し、前記ＳＣＳＩデュプレクス・モードにおいて前記一次ＳＣＳＩバス及び前記二次ＳＣＳＩバスを独立したバスに分割する方法であって、
前記デュプレクス兼用ＳＣＳＩバックプレーン・ボードが一次ＳＣＳＩケーブル及び二次ＳＣＳＩケーブルに接続されているか否かについて検出を行うステップと、
一次ＳＣＳＩケーブルのみが、前記デュプレクス兼用ＳＣＳＩバックプレーン・ボードに接続されたものとして検出された場合、前記コンピュータ・システムを前記ＳＣＳＩシンプレクス・モードとするステップと、
一次ＳＣＳＩケーブル及び二次ＳＣＳＩケーブルがデュプレクス兼用ＳＣＳＩバックプレーン・ボードに接続されたものとして検出された場合、前記コンピュータ・システムを前記ＳＣＳＩデュプレクス・モードとするステップと
からなり、
前記デュプレクス兼用ＳＣＳＩバックプレーン・ボードが１組のターミネータを含むデュプレクス兼用ロジックを有し、
前記コンピュータ・システムを前記ＳＣＳＩシンプレクス・モードとするステップが、前記ＳＣＳＩデュプレクス兼用ロジックにより、前記一次ＳＣＳＩバス及び前記二次ＳＣＳＩバスを、ターミネータによってその両端部が終端される１系統の電気バスとして併合するステップを含む
ことを特徴とする方法。
【発明の詳細な説明】
【０００１】
【発明の属する技術分野】
本発明は、コンピュータ・システムのＳＣＳＩ（小型コンピュータ・システム・インターフェース）バックプレーン（ｂａｃｋｐｌａｎｅ）に関し、更に特定すれば、ＳＣＳＩデュプレクス兼用バックプレーン（ＳＣＳＩ  ｄｕｐｌｅｘ−ｒｅａｄｙ  ｂａｃｋｐｌａｎｅ）に関するものである。
【０００２】
【従来の技術】
ＳＣＳＩは、最もよく知られ、コンピュータ・システムに最も広く用いられているＡＮＳＩ（米国規格協会）インターフェースとなっている。ＳＣＳＩの目標は、ハード・ディスク・ドライブやその他のコンピュータ周辺機器のために信頼性の高い接続性、及び柔軟かつ高速化を図ったコマンド制御インターフェースを与えることであった。ＳＣＳＩデバイスの柔軟な管理に対する必要性に対処する１つの方法は、ＳＣＳＩシンプレクス・モード（ｓｉｍｐｌｅｘ  ｍｏｄｅ）用に編成されているコンピュータ・システムを、アップグレードして、ＳＣＳＩデュプレクス・モードを備えることである。
コンピュータ・システムのある種のＳＣＳＩバックプレーン即ちオプション・ボードには、ＳＣＳＩシンプレクス・モードにしか対応しないものがある。ＳＣＳＩシンプレクス・モードでは、一次ＳＣＳＩコントローラが、１組のＳＣＳＩデバイスに結合されている単一のＳＣＳＩバスを制御する。他のＳＣＳＩバックプレーン即ちオプション・ボードには、ＳＣＳＩデュプレクス・モードにしか対応しないものがある。ＳＣＳＩデュプレクス・モードでは、一次ＳＣＳＩコントローラが一次ＳＣＳＩバスを制御し、二次ＳＣＳＩコントローラが二次ＳＣＳＩバスを制御する。
【０００３】
【発明が解決しようとする課題】
これまで知られている限り、コンピュータ・システムをＳＣＳＩシンプレクス・モードからＳＣＳＩデュプレクス・モードに編成するには、回路ボードの交換を必要としていた。これは、要求される時間及び熟練レベルを考えると望ましいものではない。コンピュータ・システムの中には、ＳＣＳＩシンプレクス専用バックプレーン、即ち、シンプレクス機能のみを有するバックプレーンを用いてＳＣＳＩシンプレクス・モードを可能にするものがある。コンピュータ・システムのＳＣＳＩバックプレーンの状態を、ＳＣＳＩデュプレクス・モードに編成し直すために必要なステップは、ＳＣＳＩシンプレクス専用バックプレーン・ボードを除去し、ＳＣＳＩデュプレクス専用バックプレーン・ボードとそれを交換することである。
他のコンピュータ・システムには、ＳＣＳＩバックプレーン・ボードに接続するＳＣＳＩパス・スルー・ボード（ＳＣＳＩ  ｐａｓｓ  ｔｈｒｏｕｇｈ  ｂｏａｒｄ）を用い、ＳＣＳＩシンプレクス・モードを可能にするものもある。この場合、ＳＣＳＩデュプレクス・モードにＳＣＳＩバックプレーンの状態を再編成するために必要なステップは、ＳＣＳＩパス・スルー・ボードを除去し、ＳＣＳＩデュプレクス・オプション・ボードとそれを交換することである。前述のタイプのコンピュータ・システムは双方共、回路ボードを交換することにより、ＳＣＳＩバックプレーンの状態をＳＣＳＩシンプレクス・モード又はＳＣＳＩデュプレクス・モードに編成する必要がある。
【０００４】
ＳＣＳＩシンプレクス・モード用コンピュータ・システムのＳＣＳＩバックプレーンの状態をＳＣＳＩデュプレクス・モードに編成する場合にも、コンピュータ・システムのシャーシの大量の分解及び再組み立てを必要とする。ＳＣＳＩパス・スルー・ボード又はＳＣＳＩシンプレクス専用バックプレーン・ボードを交換するためには、少なくとも部分的にシャーシを分解し、バックプレーンに到達することが必要である。これは、ＳＣＳＩパス・スルー・ボード又はＳＣＳＩシンプレクス専用バックプレーン・ボードを除去するために必要である。ＳＣＳＩパス・スルー・ボードをＳＣＳＩデュプレクス・オプション・ボードと交換した後、又はＳＣＳＩシンプレクス専用バックプレーン・ボードをＳＣＳＩデュプレクス専用バックプレーン・ボードと交換した後、シャーシを再度組み立てることができる。ＳＣＳＩシンプレクス専用バックプレーンを交換する場合、ケーブルの変更を行う必要もある。例えば、第１のＳＣＳＩコントローラからＳＣＳＩシンプレクス専用バックプレーン・ボードに延びるケーブルを除去し、第１ＳＣＳＩコントローラからケーブルを敷設し直し、次いで第２のＳＣＳＩコントローラからＳＣＳＩデュプレクス専用バックプレーン・ボードに延びるケーブルを敷設する必要がある。
【０００５】
更に、シンプレクスからデュプレクスへの切り替えは、通常単なるオペレータ・レベルの知識以上のものを必要とする。ユーザは、典型的に、コンピュータ販売会社にデュプレクス・オプション・キットを注文し、キット内にある説明書を理解し、必要な分解、回路ボードの交換及び再組み立てを行い、ＳＣＳＩバックプレーンの状態をＳＣＳＩシンプレクス・モード又はＳＣＳＩデュプレクス・モードに変換しなければならなかった。分解、回路ボードの交換、及び再組み立ては、全体として、コスト的に貴重なシステム・ダウンタイムを招く。
本発明は、上記したような従来例の問題点を解決することを目的としている。
【０００６】
【課題を解決するための手段】
本発明は、コンピュータ・システムに、ＳＣＳＩシンプレクス・モードとＳＣＳＩデュプレクス・モードとの間で当該コンピュータ・システムを切り替えるデュプレクス兼用（シンプレクス／デュプレクス兼用）ロジックを有するＳＣＳＩバックプレーン・ボードを提供する。デュプレクス兼用ロジックは、１組のバス・スイッチ、１組のターミネータ、及びデュプレクス兼用ロジック・コントローラを含む。ＳＣＳＩシンプレクス・モード及びＳＣＳＩデュプレクス・モードは、存在するＳＣＳＩケーブルの本数に基づいて、デュプレクス兼用ロジック・コントローラによって編成する。一次ＳＣＳＩケーブルのみがある場合、デュプレクス兼用ロジック・コントローラは、ＳＣＳＩシンプレクス・モードをイネーブルする。ＳＣＳＩシンプレクス・モードをイネーブルするためには、バス・スイッチを閉じ、１組又は複数組のターミネータを選択的にディスエーブル及び／又はイネーブルする。一次ＳＣＳＩバス及び二次ＳＣＳＩバスは、これによって、単一の電気バスを形成する。
【０００７】
一次ＳＣＳＩケーブル及び二次ＳＣＳＩケーブルがある場合、デュプレクス兼用ロジック・コントローラは、ＳＣＳＩデュプレクス・モードをイネーブルする。ＳＣＳＩデュプレクス・モードをイネーブルするために、バス・スイッチを開き、ターミネータを選択的にイネーブル及び／又はディスエーブルする。一次ＳＣＳＩバス及び二次ＳＣＳＩバスは、これによって、電気的に別個のバスとなる。ＳＣＳＩデュプレクス・モードにおけるＳＣＳＩバスに関連するＳＣＳＩデバイスの識別値は、ＳＣＳＩシンプレクス・モードにおけるＳＣＳＩデバイスの識別値とは異なってもよい。オプションとして、ＳＣＳＩデュプレクス・モードでは、デュプレクス兼用ロジック・コントローラは、いずれかのＳＣＳＩバスに関連するＳＣＳＩデバイスのＳＣＳＩ識別値を変更し、一意のＳＣＳＩ識別値を発生する。
【０００８】
ＳＣＳＩバックプレーンの状態をＳＣＳＩデュプレクス・モードに手作業で編成する際、二次ＳＣＳＩコントローラからＳＣＳＩデュプレクス兼用バックプレーン・ボードまでの二次ＳＣＳＩケーブルの敷設を可能にするためのシャーシの分解は最小限でよい。同様に、ＳＣＳＩバックプレーンの状態をＳＣＳＩシンプレクス・モードに手作業で編成する際も、二次ＳＣＳＩケーブルの除去を可能にするためのシャーシの分解は最小限でよい。ＳＣＳＩデュプレクス兼用バックプレーン・ボードは、ボード交換及びデュプレクス・オプション・キットの必要性を双方ともなくするものである。したがって、本発明は、コンピュータ・システムをＳＣＳＩシンプレクス・モード又はＳＣＳＩデュプレクス・モードに編成するために必要な分解及び再組み立てを減少させることになる。
本発明は、以下の好適な実施形態の詳細な説明を添付図面と関連付けて検討することにより、一層深く理解することができる。
【０００９】
【発明の実施の形態】
本願と同一出願人の、１９９７年３月８日に付与された、”ＡＵＴＯＭＡＴＩＣ  ＤＩＳＡＢＬＩＮＧ  ＯＦ  ＳＣＳＩ  ＢＵＳ  ＴＥＲＭＩＮＡＴＯＲＳ”（ＳＣＳＩバス・ターミネータの自動ディスエーブル処理）と題する米国特許番号第５，６１３，０７４号は、本発明において参照されている。
図１は、本発明のコンピュータ・システムＣの概略図を示す。ホスト／周辺ブリッジ１２及びホスト・プロセッサ１０が、ホスト・バスＨに結合されている。ホスト／周辺ブリッジ１２は更に、周辺バスＰにも結合されている。周辺バスＰは、ＩＳＡ（業界標準アーキテクチャ）バス、ＥＩＳＡ（拡張業界標準アーキテクチャ）バス、ＰＣＩ（周辺素子相互接続）バス、又はその他の適切な入力／出力バスとすることができる。
【００１０】
周辺バスＰは、一次ＳＣＳＩコントローラ１４及び二次ＳＣＳＩコントローラ１５に結合されている。一次ＳＣＳＩコントローラ１４は、周辺バスＰと一次ＳＣＳＩバス１７との間のブリッジとして機能し、二次ＳＣＳＩコントローラ１５は、周辺バスＰと二次ＳＣＳＩバス１９との間のブリッジとして機能する。一次ＳＣＳＩコントローラ１４及び二次ＳＣＳＩコントローラ１５は、好ましくは、カード、チップ等のような単一の電子コンポーネント上に備えることが好ましい。一次ＳＣＳＩバス１７は、第１組のＳＣＳＩデバイス１８に結合されている。第１組のＳＣＳＩデバイス１８の動作は、一次ＳＣＳＩコントローラ１４によって制御される。ＳＣＳＩ−２仕様のような現在のＳＣＳＩ仕様によれば、第１組のＳＣＳデバイス１８内のＳＣＳＩデバイスの数は、一次ＳＣＳＩコントローラ１４を含めずに、１５個までのデバイスが可能である。特定のコンピュータ・システムＣでは、対応するＳＣＳＩデバイスの実際の数は、ＳＣＳＩデバイスのサイズ、コンピュータ・システムのシャーシのサイズ、及びコンピュータ・システムＣ内のＳＣＳＩデバイスを受容する物理的なスロット又はトレイの数のような、機械的な制限に応じて異なるものとなる。
【００１１】
二次ＳＣＳＩバス１９は、二次ＳＣＳＩコントローラ１５及び第２組のＳＣＳＩデバイス２２に結合されている。ＳＣＳＩデュプレクス・モードでは、第２組のＳＣＳＩデバイス２２の動作及び制御は、二次ＳＣＳＩコントローラ１５によって制御される。二次ＳＣＳＩバス１９も、二次ＳＣＳＩコントローラ１５を含めずに、１５個までのＳＣＳＩデバイスに対応することができる。第１及び第２組のＳＣＳＩデバイス１８、２２は、あらゆるタイプのＳＣＳＩデバイスを含むことができる。例えば、双方の組のＳＣＳＩデバイスは、全てＳＣＳＩハード・ドライブとしたり、又は全てＳＣＳＩＳＣ−ＲＯＭドライブとしてもよい。他の例として、第１組のＳＣＳＩデバイス１８はＳＣＳＩハード・ドライブを含み、第２組のＳＣＳＩデバイス２２はバックアップ用ＳＣＳＩテープ・ドライブを含んでもよい。考えられるＳＣＳＩデバイスのタイプには、ハード・ドライブ、ＤＣ−ＲＯＭドライブ、テープ・ドライブ、スキャナ、ＤＶＤ−ＲＯＭドライブ、及びＤＡＴドライブが含まれるが、これらに限定される訳ではない。
【００１２】
一次ＳＣＳＩバス１７及び二次ＳＣＳＩバス１９は双方とも、いずれのＳＣＳＩバス・タイプ又はバージョンでもよい。これらのＳＣＳＩバス・バージョンには、ＳＣＳＩ−２、ＳＣＳＩ−３、ＵｌｔｒａＳＣＳＩ、ＷｉｄｅＳＣＳＩ、及びＦａｓｔＳＣＳＩが含まれるが、これらに限定される訳ではない。コンピュータ・システムＣがＳＣＳＩデュプレクス・モードである場合、比較的遅いＳＣＳＩバス・バージョンを有する一次ＳＣＳＩバス１７及び比較的速いＳＣＳＩバス・バージョンを有する二次ＳＣＳＩバス１９に対して、ある種の利点がある。すなわち、比較的遅いＳＣＳＩデバイスに対するアクセスは、比較的速いＳＣＳＩデバイスに対するアクセスのバス速度を制限することはない。ＳＣＳＩデュプレクス・モードは、ＳＣＳＩデバイス・ミラーリング（ｍｉｒｒｏｒｉｎｇ）及びＳＣＳＩデバイス冗長性という利点も有する。
【００１３】
一次ＳＣＳＩバス１７と二次ＳＣＳＩバス１９との間には、本発明の特徴の１つであるＳＣＳＩデュプレクス兼用ロジック４２が接続されている。コンピュータ・システムのあるＳＣＳＩバックプレーンは、ＳＣＳＩシンプレクス・モードに対応する。他のＳＣＳＩバックプレーンは、ＳＣＳＩデュプレクス・モードに対応する。ＳＣＳＩシンプレクス・モードでは、一次ＳＣＳＩバス１７及び二次ＳＣＳＩバス１９は１系統の電気バスを構成する。ＳＣＳＩデュプレクス・モードでは、一次ＳＣＳＩバス１７及び二次ＳＣＳＩバス１９は別個の電気バスとなる。したがって、１つのＳＣＳＩチャネルがＳＣＳＩシンプレクス・モードで使用可能であり、一方、２つの独立したＳＣＳＩチャネルがＳＣＳＩデュプレクス・モードで使用可能である。
【００１４】
コンピュータ・システムのバックプレーンの状態をＳＣＳＩシンプレクス・モード又はＳＣＳＩデュプレクス・モードに編成するには、先に注記したように、従来は完全な回路ボードの交換を必要としている。本発明のＳＣＳＩデュプレクス兼用ロジック４２（図１，図７，図８，図１１，図１２，図１３，及び図１４）には、かかる回路ボード交換の必要性をなくするものである。ＳＣＳＩデュプレクス兼用ロジック４２の動作に伴う信号用の２本の制御ライン即ち導体が示されている。二次ＳＣＳＩバックプレーン・ロジック・コントローラ・ディスエーブル制御信号（ライン２１）は、デュプレクス兼用ロジック４２がＳＣＳＩシンプレクス・モードに切り替える場合に用いる。具体的には、ＳＣＳＩデュプレクス兼用ロジック４２は、二次ＳＣＳＩケーブル３４の検出に基づいて、ステータス信号（ライン２１）を、二次ＳＣＳＩバックプレーン・ロジック・コントローラ２０に送る。バックプレーン・ロジック・コントローラは、ＳＣＳＩデバイスのためのＬＥＤの点滅、ＳＣＳＩデバイスの温度及びファンの監視、ドライブのステータスの監視、及びＳＣＳＩモード情報のコンピュータ・システムＣの他の部分への供給というような、特定の管理機構（ｆｅａｔｕｒｅ）を制御する。二次ＳＣＳＩバックプレーン・ロジック・コントローラ２０をディスエーブルすると、一次ＳＣＳＩバックプレーン・ロジック・コントローラ１６がこれらの機構を二次ＳＣＳＩバス１９に与える。
【００１５】
また、ＳＣＳＩデュプレクス兼用ロジック４２は、ＳＣＳＩ識別スイッチ５２（図１３及び図１４）も含み、二次ＳＣＳＩ  ＩＤ制御信号（ライン２３）を供給し、コンピュータ・システムＣを異なるＳＣＳＩモードに切り替える際に、二次ＳＣＳＩバス１９に関連する第２組のＳＣＳＩデバイスのＳＣＳＩ識別値を変更することも可能である。あるいは、ＳＣＳＩ  ＩＤ制御信号２３を一次ＳＣＳＩバス１７に結合し、第１組のＳＣＳＩデバイス１８のＳＣＳＩ識別値を切り替えるようにしてもよいことは理解されよう。更に、コンピュータ・システムＣのＳＣＳＩモードに基づいてＳＣＳＩデバイスのＳＣＳＩ識別値を設定することは、本発明のオプション的特徴であることも理解されよう。かかる特徴は、各デバイス又は各ＳＣＳＩバス毎の各ＳＣＳＩ識別値が、ＳＣＳＩモードに関係なく一意的であるようにＳＣＳＩ識別値が規定される場合には、不要である。
【００１６】
図２には、従来技術にしたがって、コンピュータ・システムのＳＣＳＩバックプレーンの状態をＳＣＳＩデュプレクス・モードに手作業で編成する際に必要な一連のステップが示されている。ステップ２００において、従来のコンピュータ・システムはＳＣＳＩシンプレクス・モードにある。図３に移ると、ＳＣＳＩシンプレクス・モード用の従来のパス・スルー・ボードを備えたサーバＳの等幅図が示されている。サーバＳは、典型的にシャーシ又はハウジングの後部のカバー又はシェル６０内にある、ＳＣＳＩパス・スルー・ボード２６を含む。ＳＣＳＩパス・スルー・ボード２６は、一次及び二次ＳＣＳＩバスを短絡させ、単一の物理バスを形成する。また、サーバＳは、一次バックプレーンＳＣＳＩコネクタ２５と一次ＳＣＳＩコントローラ１４との間に備えられた一次ＳＣＳＩケーブル２８も含む。サーバＳはＳＣＳＩシンプレクス・モードにあるので、二次ＳＣＳＩコントローラ１５と二次バックプレーンＳＣＳＩコネクタ２７との間には、二次ＳＣＳＩケーブルはない。一次ＳＣＳＩコントローラ１４及び二次ＳＣＳＩコントローラ１５は、通常、サーバＳのマザーボード上のように、バックプレーン２４から離れて配置される。通常、一次バックプレーンＳＣＳＩコネクタ２５、二次バックプレーンＳＣＳＩコネクタ２７、パス・スルー・ボード２６、一次ＳＣＳＩバックプレーン・ロジック１６は、各々、バックプレーン２４内に配置される。
【００１７】
図５には、ＳＣＳＩシンプレクス・モードにおけるサーバについて、他の従来の構成が示されている。サーバＳは、図３に示したようなパス・スルー・ボード２６を有するバックプレーン２４の代わりに、シンプレクス専用バックプレーン３８を含む。バックプレーン３８は、一次ＳＣＳＩバックプレーン・ロジック・コントローラ１６及び一次バックプレーンＳＣＳＩコネクタ２５を含む。一次ＳＣＳＩコントローラ１４は、通常、バックプレーン３８から離れて配置される。したがって、一次バックプレーンＳＣＳＩケーブル２８を用いて、一次ＳＣＳＩコントローラ１４を一次ＳＣＳＩコネクタ２５に接続する。加えて、二次ＳＣＳＩコントローラ１５も通常、バックプレーン３８から離れて配置される。
【００１８】
図２に戻って従来手法を説明する。ステップ２０２において、コンピュータ・システムの電力を遮断し、ＳＣＳＩモードの再編成を行う。コンピュータ・システムは、ユーザがコンピュータ・システムのバックプレーンにおいて作業を行う場合、電力を停止しなければならない。次に、ステップ２０４において、コンピュータ・システムのシャーシを分解する。これまで、ユーザは、バックプレーンに到達し、回路ボードを交換することができるようになるには、大量の分解を行わなければならなかった。ステップ２０６において、ＳＣＳＩバックプレーン全体を交換するのであれば、ユーザは一次ＳＣＳＩケーブル２８を除去する（ｕｎｃａｂｌｅ）。次に、ステップ２０８において、従来のコンピュータ・システムに用いられているボードに応じて、ユーザはパス・スルー・ボード２６（図３）又はシンプレクス専用バックプレーン３８（図５）を除去する。ステップ２１０として示す次のステップでは、再び従来のコンピュータ・システムのタイプに応じて、ユーザがデュプレクス・オプション・ボード３２（図４）又はデュプレクス専用バックプレーン４０（図６）を設置する。デュプレクス・オプション・ボード３２は、二次ＳＣＳＩバックプレーン・ロジック・コントローラ２０を含む。デュプレクス専用バックプレーン４０は、二次ＳＣＳＩバックプレーン・ロジック・コントローラ２０及び一次ＳＣＳＩバックプレーン・ロジック・コントローラ１６を含む。次に、ステップ２１２において、ユーザは二次ＳＣＳＩケーブル３４を追加する必要がある。
【００１９】
デュプレクス・オプション・ボード３２が使用されている場合、デュプレクス・オプション・ボード３２（図４）上の二次ＳＣＳＩコントローラ１５と二次ＳＣＳＩコネクタ２７との間に二次ＳＣＳＩケーブル３４が備えられている。デュプレクス専用バックプレーン４０が使用されている場合、二次ＳＣＳＩケーブル３４が、デュプレクス専用バックプレーン４０（図６）の二次ＳＣＳＩコントローラ１５と二次ＳＣＳＩコネクタ２７との間に備えられる。次に、ステップ２１４において、ＳＣＳＩバックプレーン全体を交換するのであれば、一次ＳＣＳＩケーブル２８を、追加したバックプレーンに敷設し直す。回路ボード交換及びケーブル敷設が完了すると、ステップ２１６においてユーザはシャーシを再度組み立て、次いでステップ２１８において、コンピュータ・システムに電力を投入することができる。このＳＣＳＩバックプレーンの手作業による編成プロセスの最終的な結果として、ＳＣＳＩデュプレクス・モードに再編成された従来のコンピュータ・システムが得られる。これは、通常のコンピュータ・ユーザにとって、単なる交換ではなく極めて面倒であることは理解されよう。
【００２０】
図７には、デュプレクス兼用ロジック４２を含み、ＳＣＳＩシンプレクス・モードに編成された本発明のサーバＳが示されている。サーバＳはいずれのタイプのものでもよいことは理解されよう。本発明のサーバＳは、デュプレクス兼用バックプレーン４４を含み、その上にデュプレクス兼用ロジック４２を実装する。バックプレーン４４のデュプレクス兼用ロジック４２は、バックプレーン４４の状態に基づいて、ＳＣＳＩシンプレクス・モード又はＳＣＳＩデュプレクス・モードのいずれかをイネーブルする。以下で記載するその他のコンポーネントの中で、デュプレクス兼用ロジック４２は、二次ＳＣＳＩバス・ロジック・コントローラ２０を含む。デュプレクス兼用ロジック４２に加えて、デュプレクス兼用バックプレーン４４は、一次ＳＣＳＩロジック・コントローラ１６、一次ＳＣＳＩコネクタ２５、及び二次ＳＣＳＩコネクタ２７を含む。
【００２１】
本発明のデュプレクス兼用ＳＣＳＩバックプレーン４４は、従来のデュプレクス専用バックプレーン４０や従来のシンプレクス専用バックプレーン３８とは大幅に異なるものである。デュプレクス専用バックプレーン４０はＳＣＳＩデュプレクス・モードのみを可能とし、シンプレクス専用バックプレーン３８はＳＣＳＩシンプレクス・モードのみを可能とする。したがって、先に詳細に説明したように、異なるＳＣＳＩモードに切り替えるためには、回路ボードの交換が必要となる。しかしながら、本発明のデュプレクス兼用バックプレーン４４は、ＳＣＳＩデュプレクス・モード及びＳＣＳＩシンプレクス・モード双方を可能とする。その結果、ユーザは、ＳＣＳＩシンプレクス・モードとＳＣＳＩデュプレクス・モードとの間で切り替え即ち再編成を行う際に、回路ボードの交換を行う必要がなくなる。同様に、パス・スルー・ボード２６（図３）に結合された従来のバックプレーン２４は、ＳＣＳＩシンプレクス・モードのみに対応し、デュプレクス・オプション・ボード３２（図４）に結合された従来のバックプレーン２４は、ＳＣＳＩデュプレクス・モードのみに対応する。この従来のバックプレーン２４は更に、ＳＣＳＩシンプレクス・モード又はＳＣＳＩデュプレクス・モードにＳＣＳＩバックプレーンを編成するためには、２つの回路ボードを必要とするという欠点がある。多数の回路ボードがあると、これら回路ボードのインピーダンスを整合させ、データの保全性を維持しなければならない。本発明のデュプレクス兼用ＳＣＳＩバックプレーン・ボード４４は、単一の回路ボードであり、ＳＣＳＩデュプレクス・モード又はＳＣＳＩシンプレクス・モードのために多数の回路ボード間でインピーダンス整合を行う必要性をなくす。
【００２２】
図８には、ＳＣＳＩデュプレクス・モードに編成した本発明のサーバＳが示されている。ＳＣＳＩデュプレクス・モードとＳＣＳＩシンプレクス・モードとの間のデュプレクス兼用バックプレーン４４における、デュプレクス兼用ロジック・ボード４２への外部の手作業による編成の唯一の違いは、ＳＣＳＩデュプレクス・モードでは、二次ＳＣＳＩコネクタ２７と二次ＳＣＳＩコントローラ１５との間に第２のＳＣＳＩケーブル３４を追加することである。図９を参照すると、ユーザがＳＣＳＩシンプレクス・モードにあるコンピュータ・システムＣのデュプレクス兼用バックプレーン４４の状態を、ＳＣＳＩデュプレクス・モードに編成する簡単な手作業によるプロセスが示されている。ステップ２２２は、図７に示したようなサーバのＳＣＳＩシンプレクス・モードを表す。ステップ２２４において、ユーザは、コンピュータ・システムＣの電力を遮断する。次に、ステップ２２６において、ユーザは、コンピュータ・システムＣのシャーシの一部分、通常はシェル又はカバー６０を分解する。このステップにおける部分的な分解は、従来のコンピュータ・システムにおいて必要なシャーシの分解よりも少なくて済む。従来のシステムでは、ユーザがバックプレーンにある回路ボードを交換可能となる点まで、シャーシを分解しなければならない。しかしながら、本発明では、シャーシは、ユーザが二次ＳＣＳＩケーブル３４を敷設できるような点まで分解すればよい。
【００２３】
ステップ２２８において、二次ＳＣＳＩケーブル３４の敷設を行う。ステップ２３０において、分解したシャーシの一部、通常シェル６０のみを再度組み立てる。従来のコンピュータ・システムでは、回路ボードを交換することも必要であろう。また、バックプレーン全体を交換する場合、一次ケーブル２５を再度敷設する必要もある。最後に、ステップ２３２において、ユーザはコンピュータ・システムＣに電力を投入する。この時点で、コンピュータ・システムのデュプレクス兼用バックプレーン４４の状態をＳＣＳＩデュプレクス・モードに編成する手作業のプロセスは完了する。サーバＳの最終的な結果を図８に示す。コンピュータ・システムＳのＳＣＳＩデュプレクス・モードをイネーブルするために必要な残りの機能を、以下に述べるように、デュプレクス兼用バックプレーン４４の状態に基づいて電子的にＳＣＳＩデュプレクス兼用ロジック４２によって行う。
【００２４】
ＳＣＳＩデュプレクス・モードにある本発明のコンピュータ・システムをＳＣＳＩシンプレクス・モードに編成する場合も、従来のコンピュータ・システムにおける場合よりも簡単である。デュプレクス兼用バックプレーン４４の状態をＳＣＳＩシンプレクス・モードに編成する際に必要な一連のステップを、図１０に示す。ステップ２３４は、コンピュータ・システムＣのＳＣＳＩデュプレクス・モードを表す。ステップ２３６において、コンピュータ・システムＣの電力を遮断する。次に、ステップ２３８において、コンピュータ・システムＣのシャーシの一部分を分解するが、この場合も通常はカバー６０を取り外すだけでよい。ユーザが二次ＳＣＳＩケーブル３４を除去できる程度にのみ、シャーシを分解する。ステップ２４０において、二次ＳＣＳＩケーブル３４を除去する。次に、ユーザは、ステップ２４２において、分解したシャーシの一部分を再度組み立てる。最後に、ステップ２４４において、コンピュータ・システムＣに再度電力を投入する。従来のコンピュータ・システムでは、二次ＳＣＳＩケーブル３４のみを除去すればよい訳ではなく、デュプレクス・オプション・ボード３２又はデュプレクス専用バックプレーン４０も除去する必要がある。デュプレクス・オプション・ボード３２を除去する場合、ボード３２をパス・スルー・バックプレーン・ボード２６と交換する。デュプレクス専用バックプレーン４０を除去する場合、ボード４０をシンプレクス専用バックプレーン・ボード３８と交換する。このように、従来のコンピュータ・システムは、ＳＣＳＩバックプレーンの状態を再編成するためには、回路ボード全体の交換を必要とする。
【００２５】
図１１を参照すると、単一の組のターミネータ３１６を有するデュプレクス兼用ロジック４２を含むデュプレクス兼用ボード４４の一実施形態が示されている。ＳＣＳＩバスの必要条件の１つに、双方の端部で終端し、信号の保全性を保存することがある。ターミネータをイネーブルすると、ターミネータはバスに終端を与える。ターミネータをディスエーブルすると、ターミネータはバスに終端を与えない。ＳＣＳＩバスの終端に関する更なる詳細は、本願と同じ出願人が所有し、１９９７年３月８日に付与された”ＡＵＴＯＭＡＴＩＣ  ＤＩＳＡＢＬＩＮＧ  ＯＦ  ＳＣＳＩ  ＢＵＳ  ＴＥＲＭＩＮＡＴＯＲＳ”と題する米国特許第５，６１３，０７４号に記載されている。その内容は、この言及により本願にも含まれるものとする。ＳＣＳＩシンプレクス・モードでは、１組のターミネータ３１６をディスエーブルする。１組のターミネータ３１６をディスエーブルすると、単一の物理バスとしての一次ＳＣＳＩバス３００は、一次ＳＣＳＩコントローラ１４と関連する１組のターミネータ３０２から、デュプレクス兼用ボード４４Ａ上にありかつデュプレクス兼用ロジック４２からは離れて配置されている１組のターミネータ３０６まで達する、即ち、これらの間にわたって延在する。一次ＳＣＳＩコントローラ１４は、一次バックプレーンＳＣＩコネクタ２５を介して、デュプレクス兼用ボード４４に結合される。一次ＳＣＳＩコントローラ１４及び関連する１組のターミネータ３０２は、コンピュータ・システムＣのマザーボード３０８上に配置することが好ましい。
【００２６】
ＳＣＳＩデュプレクス・モードでは、１組のターミネータ３１６をイネーブルする。１組のターミネータ３１６をイネーブルすると、一次ＳＣＳＩバス１７は、１組のターミネータ３０２から、１組のターミネータ３０６の代わりに、１組のターミネータ３１６まで達する、即ち、これらの間にわたって延在する。二次ＳＣＳＩバス１９は、二次ＳＣＳＩコントローラ１５に関連する１組のターミネータ３０４から、１組のターミネータ３０６まで達する、即ち、これらの間にわたって延在する。二次ＳＣＳＩコントローラ１５は、二次バックプレーンＳＣＳＩコネクタ２７を介して、デュプレクス兼用ボード４４に結合される。二次ＳＣＳＩコントローラ１５及び関連する１組のターミネータ３０４は、図示のようにプラグイン・カード３１０上、又はマザーボード３０８上に配置するとよい。プラグイン・カード３１０及び二次ケーブル３４を破線で囲み、二次ＳＣＳＩコントローラ１５及び二次ケーブル３４のみがＳＣＳＩデュプレクス・モードにおいてデュプレクス兼用ボード４２に取り付けられることを示している。
【００２７】
図１２には、３組のターミネータ３１２，３１３，３１４を含むデュプレクス兼用ボード４４Ｂの別の実施形態が示されている。ＳＣＳＩシンプレクス・モードでは、１組のターミネータ３１２をディスエーブルし、１組のターミネータ３１３をディスエーブルし、１組のターミネータ３１４をイネーブルする。このように３組のターミネータ３１２，３１３，３１４を編成した結果、単一の物理バスが、一次ＳＣＳＩコントローラ１４に関連する１組のターミネータ３０２から１組のターミネータ３１４まで達する、即ち、これらの間にわたって延在することになる。一次ＳＣＳＩコントローラ１４は、一次バックプレーンＳＣＳＩコネクタ２５を介して、デュプレクス兼用ボード４４に結合される。ＳＣＳＩデュプレクス・モードでは、１組のターミネータ３１２をイネーブルし、１組のターミネータ３１３をイネーブルし、１組のターミネータ３１４をディスエーブルする。一次ＳＣＳＩバス１７は、１組のターミネータ３０２から１組のターミネータ３１２まで達する、即ち、これらの間にわたって延在する。二次バス１９は、二次ＳＣＳＩコントローラ１５に関連する１組のターミネータ３０４から１組のターミネータ３１３まで達する、即ち、これらの間にわたって延在する。二次ＳＣＳＩコントローラ１５及び関連する１組のターミネータ３０４は、二次バックプレーンＳＣＳＩコネクタ２７を介して、デュプレクス兼用ボード４４Ｂに結合されたプラグイン・カード３１０上に収容される。図１１のデュプレクス兼用ロジック４２の実施形態は、単一の組のターミネータ４２を備えるが、図１２のデュプレクス兼用ロジック４２は、２組のターミネータ３１２，３１３を備える。デュプレクス兼用ボード４４には更に別の実施形態も可能であることは理解されよう。
【００２８】
図１３には、ＳＣＳＩシンプレクス・モードに使用するデュプレクス兼用ＳＣＳＩロジック４２の部分が示されている。デュプレクス兼用ロジック４２は、１組のバス・スイッチ５０及びデュプレクス兼用ロジック・コントローラ６２を含む。また、デュプレクス兼用ロジック４２は、デュプレクス兼用ボード４４の実施形態に応じて、１組又は複数組のターミネータ４６を含む。各バス・スイッチ５０は、負荷が小さい双方向電子スイッチである。その低負荷のために、バス・スイッチ５０は振る舞いが良好であり、ＳＣＳＩバスにかける負担も最少で済む。バス・スイッチ５０の一例は、Ｑｕｉｃｋ  Ｓｗｉｔｃｈ7の商標で、Ｑｕａｌｉｔｙ  Ｓｅｍｉｃｏｎｄｕｃｔｏｒ，Ｉｎｃ．から販売されているタイプのものである。ＳＣＳＩシンプレクス・モードでは、バス・スイッチ５０は閉状態にある。加えて、ＳＣＳＩシンプレクス・モードでは、ディゼーブル信号２１をアサートすることによって、二次ＳＣＳＩバックプレーン・ロジック・コントローラ２０をディゼーブルする。１組又は複数組のターミネータ４６を選択的にディスエーブル及び／又はイネーブルし、バス・スイッチ５０を閉状態とすることにより、一次ＳＣＳＩバス１７及び二次バス１９は、単一の電気バスとして併合される。
【００２９】
図１４には、ＳＣＳＩデュプレクス・モードに関係するデュプレクス兼用ロジック４２の部分が示されている。二次ＳＣＳＩバス１９はＳＣＳＩデュプレクス・モードでは独立したバスであるので、二次ＳＣＳＩバックプレーン・ロジック・コントローラ２０をイネーブルして、ＳＣＳＩデュプレクス・モードとする。また、ＳＣＳＩデュプレクス・モードでは、バス・スイッチ５０は開状態となっており、一次ＳＣＳＩバス１７を二次ＳＣＳＩバス１９から物理的及び電気的に分離することができる。オプションとして、デュプレクス兼用ロジック４２は、ＳＣＳＩ  ＩＤスイッチ５２を含み、デュプレクス・ロジック・コントローラ６２によるＳＣＳＩケーブルの検出に応答してＳＣＳＩ制御信号２３を提供し、ＳＣＳＩデバイスのＳＣＳＩ識別値を変更又は復元することができるようにしてもよい。
【００３０】
図１５には、ＳＣＳＩシンプレクス・モード又はＳＣＳＩデュプレクス・モードをイネーブルするために、デュプレクス兼用ロジックのＳＣＳＩデュプレクス兼用ロジック・コントローラ６２によって行われる動作が示されている。デュプレクス兼用ロジック・コントローラ６２は、プログラマブル・ロジック・アレイ（ＰＬＡ）として実施することができる。プログラマブル・ロジック・アレイの設計及び動作は、当技術分野では公知である。デュプレクス兼用ロジック・コントローラ６２は、ＳＣＳＩデュプレクス兼用バックプレーン４４の状態に応じて、ＳＣＳＩシンプレクス・モード又はＳＣＳＩデュプレクス・モードのいずれかをイネーブルする。即ち、ステップ２４８において、一次ＳＣＳＩケーブル２８及び二次ＳＣＳＩケーブル３４が、ＳＣＳＩデュプレクス兼用バックプレーン４４に接続されているか否かについて検出を行う。一次ＳＣＳＩケーブル２８のみがバックプレーン４４に接続されている場合、デュプレクス兼用コントローラ６２は、ＳＣＳＩシンプレクス・モードをイネーブルするように処理を進める。ステップ２５６において、デュプレクス兼用ロジック４２のバス・スイッチ５０を閉状態とする。バス・スイッチ５０が閉状態になると、一次ＳＣＳＩバス１７及び二次ＳＣＳＩバス１９が結合される。次に、ステップ２５７において、備えられている１組又は複数組のターミネータ４６を選択的にディスエーブル及び／又はイネーブルする。特定の組のターミネータ４６をディスエーブルするか又はイネーブルするかは、デュプレクス兼用ボード４４の特定の実施形態によって異なる。バス・スイッチ５０を閉状態とし、ターミネータ４６，４８を選択的にディスエーブル及び／又はイネーブルすることにより、一次ＳＣＳＩバス１７及び二次ＳＣＳＩバス１９は、１系統の電気バスとして併合される。
【００３１】
次に、ステップ２５８において、デュプレクス兼用ロジック・コントローラ６２は、二次ＳＣＳＩバックプレーン・ロジック・コントローラ２０をリセットとする。二次ＳＣＳＩバックプレーン・ロジック・コントローラ２０をリセットとすると、一次ＳＣＳＩバックプレーン・ロジック・コントローラ１６は、単一物理バスの管理機構を制御する。次に、ステップ２６０において、一次ＳＣＳＩバックプレーン・ロジック・コントローラ１６は、二次ＳＣＳＩバス１９に接続されている第２組のＳＣＳＩデバイス２２のＳＣＳＩ識別（ＩＤ）値即ちコードを変更する。図１４を参照すると、ＳＣＳＩシンプレクス・モードにおける第１及び第２組のＳＣＳＩデバイス１８，２２に対するＳＣＳＩ  ＩＤコードが示されている。合計７つのＳＣＳＩデバイスを有するコンピュータ・システムＣでは、デバイスは、例えば、０〜６までのＩＤコードで識別することができる。ステップ２６０を破線で示し、このステップは任意選択であることを示す。ステップ２５６〜２６０は、いずれの順番で実行してもよいことは理解されよう。ステップ２６０から制御はステップ２４８に戻り、デュプレクス兼用ロジック４２は再びデュプレクス兼用バックプレーン４４の状態を検出する。デュプレクス兼用バックプレーン４４のこの状態検出は連続的なので、検出は、コンピュータ・システムＣに電力を投入したときに最初に行う。
【００３２】
ステップ２４８において、一次ＳＣＳＩケーブル２８及び二次ＳＣＳＩケーブル３４が双方共、ＳＣＳＩデュプレクス兼用バックプレーン４４に接続されていると検出された場合、デュプレクス兼用ロジック・コントローラ６２は、コンピュータ・システムＣにＳＣＳＩデュプレクス・モードをイネーブルするように処理を進める。ステップ２６０において、デュプレクス兼用ロジック・コントローラ６２によって、バス・スイッチ５０を開状態とする。バス・スイッチ５０が開状態となると、一次ＳＣＳＩバス１７及び二次ＳＣＳＩバスは切断される。次に、ステップ２５１において、デュプレクス兼用ロジック・コントローラ６２は、選択的に１組又は複数組のターミネータ４６をイネーブル及び／又はディスエーブルする。先に注記したように、特定の組のターミネータをイネーブルするか又はディスエーブルするかは、デュプレクス兼用ボード４４の特定の実施形態によって異なる。バス・スイッチ５０を開状態とし、１組又は複数組のターミネータ４６を選択的にイネーブル及び／又はディスエーブルすることにより、デュプレクス兼用ロジック４２に結合されている一次ＳＣＳＩバス１７の端部が終端され、デュプレクス兼用ロジック４２に結合されている二次ＳＣＳＩバス１９の端部も終端される。その結果、各ＳＣＳＩバスは別個の電気バスとなる。次に、ステップ２５２において、デュプレクス兼用ロジック・コントローラ６２によって、二次ＳＣＳＩバックプレーン・ロジック・コントローラ２０をイネーブルする。このように、二次ＳＣＳＩバックプレーン・ロジック・コントローラ２０は、一次ＳＣＳＩバックプレーン・ロジック・コントローラ１６とは独立して二次ＳＣＳＩバス１９を制御する。
【００３３】
次に、制御はステップ２５４に進み、一次ＳＣＳＩバックプレーン・ロジック・コントローラ１６は、二次ＳＣＳＩバス１９のデバイスのＳＣＳＩ  ＩＤコードをデフォルト状態に復元する。このデフォルト状態では、第１組のＳＣＳＩデバイス１８は、０から始まる識別値を有し、第２組のＳＣＳＩデバイス２２も０から始まる識別値を有する。例えば、図１６に示すように、第１組のＳＣＳＩデバイス１８が４つのＳＣＳＩデバイスを備え、第２組のＳＣＳＩデバイス２２が３つのＳＣＳＩデバイスを備える場合、第１組のＳＣＳＩデバイスには０〜３を付番し、第２組のＳＣＳＩデバイスには０〜２を付番する。ステップ２５４を破線で示し、このステップがオプションであることを示す。尚、ステップ２５０〜２５４は、どのような順序で実行してもよいことは理解されよう。制御はステップ２５４からステップ２５８に戻り、デュプレクス兼用バックプレーン４４の状態を再度検出する。
【００３４】
このように、コンピュータ・システムＣに、デュプレクス兼用ロジック４２を有するＳＣＳＩバックプレーン・ボード４４を備えることにより、ボードの交換又はデュプレクス・オプション・キットを必要とすることなく、ＳＣＳＩシンプレクス・モードとＳＣＳＩデュプレクス・モードとの間でコンピュータ・システムＣを切り替えることができる。デュプレクス兼用ロジックは、１組のバス・スイッチ５０、１組又は複数組のターミネータ４６、及びデュプレクス兼用ロジック・コントローラ６２を含む。ＳＣＳＩシンプレクス・モード及びＳＣＳＩデュプレクス・モードは、存在するＳＣＳＩケーブルの本数に基づいて、デュプレクス兼用ロジック４２によって編成する。一次ＳＣＳＩケーブル２８のみがある場合、デュプレクス兼用ロジック・コントローラ６２は、ＳＣＳＩシンプレクス・モードをイネーブルする。ＳＣＳＩシンプレクス・モードをイネーブルするには、１組のスイッチ５０を閉じ、１組のターミネータ４６を選択的にディスエーブル及び／又はイネーブルし、二次ＳＣＳＩバス１９用の二次ＳＣＳＩバックプレーン・ロジック・コントローラ２０をリセット状態とする。その結果、一次ＳＣＳＩバス１７及び二次ＳＣＳＩバス１９は１系統の電気バスとして併合される。
【００３５】
一方、一次ケーブルＳＣＳＩケーブル２８及び二次ＳＣＳＩケーブル３４がある場合、デュプレクス兼用ロジック・コントローラ６２は、ＳＣＳＩデュプレクス・モードをイネーブルする。ＳＣＳＩデュプレクス・モードをイネーブルするには、バス・スイッチ５０を開き、１組又は複数組のターミネータ４６を選択的にイネーブル及び／又はディスエーブルし、二次ＳＣＳＩバス１８用の二次ＳＣＳＩバックプレーン・ロジック・コントローラ２０をイネーブルする。その結果、一次ＳＣＳＩバス１７及び二次ＳＣＳＩバス１９は、独立したバスに分割される。本発明のＳＣＳＩバックプレーン・ボード４４は、ＳＣＳＩシンプレクス・モード（１つのＳＣＳＩバス）又はＳＣＳＩデュプレクス・モード（２つのＳＣＳＩバス）のいずれかに対応するものとして記載したが、ＳＣＳＩバックプレーン・ボード４４は、ＳＣＳＩバックプレーン４４の状態に基づいて複数のＳＣＳＩバスを分割又は併合することによって規定される、その他のＳＣＳＩモードにも対応可能であることも考えられる。
本発明のこれまでの開示及び記載は、その例示でありかつ説明のためのものであり、サイズ、形状、材料、コンポーネント、回路エレメント、配線接続、コンタクト、更に図示した回路及び構造の詳細や動作方法において、本発明から逸脱することなく、種々の変更が可能であることは明らかであろう。
【図面の簡単な説明】
【図１】本発明のＳＣＳＩデュプレクス兼用ロジックを含むコンピュータ・システムの概略図である。
【図２】従来技術による、コンピュータ・システムのＳＣＳＩバックプレーンの状態をＳＣＳＩシンプレクス・モード又はＳＣＳＩデュプレクス・モードに手作業で編成する際に必要な一連のステップを示す図である。
【図３】ＳＣＳＩシンプレクス・モード用の従来例のパス・スルー・ボードを備えたサーバの等幅図である。
【図４】ＳＣＳＩデュプレクス・モード用の従来例のデュプレクス・オプション・ボードを備えたサーバの等幅図である。
【図５】ＳＣＳＩシンプレクス・モード用の従来例のシンプレクス専用バックプレーンを備えたサーバの等幅図である。
【図６】ＳＣＳＩデュプレクス・モード用の従来例のデュプレクス専用バックプレーンを備えたサーバの等幅図である。
【図７】ＳＣＳＩシンプレクス・モードにおける図１のデュプレクス兼用ロジックを備えたサーバの等幅図である。
【図８】ＳＣＳＩデュプレクス・モードにおける図１のデュプレクス兼用ロジックを備えたサーバの等幅図である。
【図９】コンピュータ・システムのバックプレーンの状態をＳＣＳＩデュプレクス・モードに編成する際に必要な一連のステップの概略図である。
【図１０】コンピュータ・システムのバックプレーンの状態をＳＣＳＩシンプレクス・モードに編成する際に必要な一連のステップの概略図である。
【図１１】１組のターミネータを含む、図７及び図８のＳＣＳＩデュプレクス兼用ボードの一実施形態の概略図である。
【図１２】２組のターミネータを含む、図７及び図８のＳＣＳＩデュプレクス兼用ボードの一実施形態の概略図である。
【図１３】ＳＣＳＩシンプレクス・モードにおける図１のＳＣＳＩデュプレクス兼用ロジックの概略図である。
【図１４】ＳＣＳＩデュプレクス・モードにおける図１ののＳＣＳＩデュプレクス兼用ロジックの概略図である。
【図１５】コンピュータ・システムをＳＣＳＩシンプレクス・モードとＳＣＳＩデュプレクス・モードとの間で切り替えるために、図１３及び図１４のＳＣＳＩデュプレクス兼用コントローラによって実行される本発明のイネーブル・プロセスのフロー・チャートである。
【図１６】図７及び図８のサーバに対するＳＣＳＩデバイスのＳＣＳＩ識別値の例を示す図である。
【図１】
0004124896.tif 000002
【図２】
0004124896.tif 000003
【図３】
0004124896.tif 000004
【図４】
0004124896.tif 000005
【図５】
0004124896.tif 000006
【図６】
0004124896.tif 000007
【図７】
0004124896.tif 000008
【図８】
0004124896.tif 000009
【図９】
0004124896.tif 000010
【図１０】
0004124896.tif 000011
【図１１】
0004124896.tif 000012
【図１２】
0004124896.tif 000013
【図１３】
0004124896.tif 000014
【図１４】
0004124896.tif 000015
【図１５】
0004124896.tif 000016
【図１６】
0004124896.tif 000017